(57)【要約】【課題】  他の相手とのＧ３ＦＡＸ通信を実行中であっても、新たなＶＯＩＰ着信を適切に処理する仕組みを提供する。【解決手段】  通信装置であって、発呼側より送信されるＣＮＧ信号を検知する、ＦＡＸ通信を行うモデムとは別のＣＮＧ検知手段を有し、ＶＯＩＰの着信を検知したときＣＮＧ検知手段によってＣＮＧ信号を検知すると、モデムが使用中でないときは当該モデムを使用してファクシミリ受信を行い、ＣＮＧ検知手段によってＣＮＧ信号を検知しないときは電話機に接続するように制御する。【選択図】  図３
2015002551.tif 000002
【特許請求の範囲】
【請求項１】
ＦＡＸ通信を行うモデムと、
発呼側より送信されるＣＮＧ信号を検知する、前記モデムとは別のＣＮＧ検知手段と、
ＶＯＩＰの着信を検知したとき前記ＣＮＧ検知手段によって前記ＣＮＧ信号を検知すると、前記モデムが使用中でないときは当該モデムを使用してファクシミリ受信を行い、前記ＣＮＧ検知手段によって前記ＣＮＧ信号を検知しないときは電話機に接続するように制御する制御手段と、
を有することを特徴とする通信装置。
【請求項２】
前記制御手段は、更に、着信が前記ＶＯＩＰの着信でないときは、ＩＴＵ−Ｔ勧告のＴ．３８によるＩＰＦＡＸ通信に切り替えることを特徴とする請求項１に記載の通信装置。
【請求項３】
前記電話機を接続する電話制御手段を更に有することを特徴とする請求項１又は２に記載の通信装置。
【請求項４】
前記制御手段は、前記ＶＯＩＰの着信を検知し、前記ＣＮＧ検知手段によって前記ＣＮＧ信号を検知したときに前記モデムがファクシミリ送信で使用中であれば、送信対象の画像データの量から通信時間を割り出し、その通信時間が所定の時間内であれば送信処理を継続させることを特徴とする請求項１乃至３のいずれか１項に記載の通信装置。
【請求項５】
ＦＡＸ通信を行うモデムを有する通信装置の制御方法であって、
前記モデムとは別のＣＮＧ検知手段が、発呼側より送信されるＣＮＧ信号を検知する検知工程と、
制御手段が、ＶＯＩＰの着信を検知したとき前記検知工程で前記ＣＮＧ信号を検知すると、前記モデムが使用中でないときは当該モデムを使用してファクシミリ受信を行い、前記検知工程で前記ＣＮＧ信号を検知しないときは電話機に接続するように制御する制御工程と、
を有することを特徴とする通信装置の制御方法。
【請求項６】
前記制御工程では、更に、着信が前記ＶＯＩＰの着信でないときは、ＩＴＵ−Ｔ勧告のＴ．３８によるＩＰＦＡＸ通信に切り替えることを特徴とする請求項５に記載の通信装置の制御方法。
【請求項７】
前記制御工程では、更に、前記ＶＯＩＰの着信を検知し、前記検知工程で前記ＣＮＧ信号を検知したときに前記モデムがファクシミリ送信で使用中であれば、送信対象の画像データの量から通信時間を割り出し、その通信時間が所定の時間内であれば送信処理を継続させることを特徴とする請求項５又は６に記載の通信装置の制御方法。
【請求項８】
コンピュータを、請求項１乃至４のいずれか１項に記載の通信装置として機能させるためのプログラム。
【発明の詳細な説明】
【技術分野】
【０００１】
本発明は、ＶＯＩＰ通信を実行可能な通信装置及びその制御方法、プログラムに関する。
【背景技術】
【０００２】
近年、ＩＰ（Internet Protocol）電話による音声通信やＩＴＵ−Ｔ勧告のＴ．３８によるＩＰ−ＦＡＸ通信による画像通信を行う次世代ネットワーク（ＮＧＮ：Next Generation Network）が普及している。ＮＧＮは、ネットワーク自体に帯域保証機能、セキュリティ機能を備え、電話サービス、映像通信サービス、データ通信サービス等を統合的に実現するＩＰネットワークである。
【０００３】
また、ＮＧＮ上の通信機器の間には、仮想的なセッションが確立され、セッションが成立している間はサービスを提供するＳＩＰ（Session Initiation Protocol）が普及し、利用されている。このＳＩＰによりセッションを確立した通信機器は、ＩＰやＶＯＩＰ（Voice Over IP）等のプロトコルを用いて、通話或いは画像通信を行い、又これらを同時に行う等の様々な形態のサービスが提供されている。
【０００４】
このような通信装置において、ＩＰＦＡＸで通信中にＶＯＩＰの着信があった場合は、モデムでＣＮＧ信号を検知して、Ｇ３ＦＡＸで受信するか、電話で通話するかを制御可能である。一方、ＶＯＩＰの着信があったときに他の相手とのＧ３ＦＡＸ通信が行われていると、モデムを使用することができず、ＶＯＩＰの着信を処理できない。
【０００５】
特許文献１は、ファクシミリ装置において、留守モード時に併設の電話機で着信に応答し、通話することができる装置を開示している。この特許文献１のファクシミリ装置は、電話機のオフフックを検出中に回線上の信号から、ファクシミリ動作を起動させるためのファクシミリ起動信号を検出している。即ち、ＣＮＧ信号検出手段及び無音検知手段等とを有し、これらによりファクシミリ起動信号を検出した場合に、ファクシミリ通信に切り替えている。
【先行技術文献】
【特許文献】
【０００６】
【特許文献１】特開平５−１４５６９５号公報
【発明の概要】
【発明が解決しようとする課題】
【０００７】
ＩＰＦＡＸ機能を搭載した通信装置で、複数セッションの通信が可能な装置で、従来はＶＯＩＰでのＧ３ＦＡＸ通信でモデムを使用中は、他のセッションでＶＯＩＰの着信があったとしても、それがファクシミリ通信か電話かを判断することができなかった。これはＣＮＧ信号の検知をモデムで行っていたため、そのモデムが使用中の場合はＣＮＧ信号検知ができなかったことに起因している。ＩＰ回線の場合、複数セッションの同時通信が可能であるため、着信がＶＯＩＰの場合、モデムを使用中であっても、着信が電話か、Ｇ３ＦＡＸであるかを効率よく判定して通信できるようにすることが求められている。
【０００８】
本発明の目的は、上記従来技術の問題点を解決することにある。
【０００９】
本発明の目的は、他の相手とのＧ３ＦＡＸ通信を実行中であっても、新たなＶＯＩＰ着信を適切に処理する仕組みを提供することにある。
【課題を解決するための手段】
【００１０】
上記目的を達成するために本発明の一態様に係る通信装置は以下のような構成を備える。即ち、
ＦＡＸ通信を行うモデムと、
発呼側より送信されるＣＮＧ信号を検知する、前記モデムとは別のＣＮＧ検知手段と、
ＶＯＩＰの着信を検知したとき前記ＣＮＧ検知手段によって前記ＣＮＧ信号を検知すると、前記モデムが使用中でないときは当該モデムを使用してファクシミリ受信を行い、前記ＣＮＧ検知手段によって前記ＣＮＧ信号を検知しないときは電話機に接続するように制御する制御手段と、を有することを特徴とする。
【発明の効果】
【００１１】
本発明によれば、他の相手とのＧ３ＦＡＸ通信を実行中であっても、新たなＶＯＩＰ着信を適切に処理することができる。
【図面の簡単な説明】
【００１２】
【図１】本発明の実施形態に係る画像通信装置の構成を示すブロック図。
【図２】本実施形態に係る画像通信装置のコントローラの構成を概略的に示すブロック図。
【図３】本発明の実施形態に係る画像通信装置による受信処理を説明するフローチャート。
【図４】ＣＮＧ信号を説明する図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１は、本発明の実施形態に係る画像通信装置１０１の構成を示すブロック図である。
【００１５】
本実施形態に係る画像通信装置は、ＩＰＦＡＸと、ＶＯＩＰ＿Ｇ３ＦＡＸと、ＶＯＩＰ＿電話が同時に使用できる。ＩＰＦＡＸとは、ＩＴＵ−Ｔ勧告のＴ．３８に準拠してＩＰネットワークを介して行うＦＡＸ通信である。ＶＯＩＰ＿Ｇ３ＦＡＸとは、アナログ公衆回線を介して送受信するＦＡＸ信号を、ＶＯＩＰ技術を用いてＩＰネットワークを介して送受信するＦＡＸ通信である。ＶＯＩＰ＿電話とは、アナログ公衆回線を介して送受信する音声（通話）信号を、ＶＯＩＰ技術を用いてＩＰネットワークを介して送受信する通話方法である。但し、ＩＰＦＡＸとＶＯＩＰ＿ＦＡＸとを同時に受信した場合は、データを受信した順にプリントする。コントローラ２は、この画像通信装置１０１の全体を制御する制御部で、画像通信装置１０１のデータの送受信、画像の読取り、印刷、操作制御などの制御を行う。回線１１０は、イントラネット、又はインターネットなどのネットワークやＮＧＮ網に接続されている。ＳＬＩＣ（電話制御部）８は、ＰＢＸ（公衆回線網）に接続して使用する電話機を画像通信装置１０１に接続して使用するために、回線１１０と電話機１２の間でインターフェースの機能を持つ。また、このＳＬＩＣ８は、呼出信号の生成、オフフック検知、電話機１２を通じて送話受話信号のＡ／Ｄ、Ｄ／Ａ変換を行うＣＯＤＥＣ機能等を備えている。尚、ＳＬＩＣ（電話制御部）８は、コントローラ２によって制御される。
【００１６】
コントローラ２とブリッジ回路５はともにＵＡＲＴを有し、コントローラ２は、データ線１１、ブリッジ回路５、データ線６を介してＳＬＩＣ（電話制御回路）８との間でデータをシリアル通信する。またコントローラ２は、データ線４、ブリッジ回路５、データ線７を介してハードモデム９との間でシリアル通信を行う。このブリッジ回路５は、コントローラ２のＰ／Ｓ  Ｄｅｖｉｃｅ２０７（図２）内のＵＡＲＴとＳＬＩＣ８や、モデム９との間のシリアルデータの送受信のタイミングを生成する調整回路として機能している。モデム９はＦＡＸ用のＧ３モデムであって、ＶＯＩＰで＿Ｇ３ＦＡＸ通信に使用される。ＣＮＧ検知処理部３は、発呼側より送られる１１００Ｈｚの信号を検知すると、相手先がＦＡＸ送信していると判定する。ＣＮＧ信号は、発呼側より送信される、０．５秒間の１１００Ｈｚのトーン信号と、その後３秒間の休止期間を含む断続信号である。このＣＮＧ信号については図４を参照して後述する。尚、このＣＮＧ検知処理部３は、通信データのルート上に配置される。この実施形態では、ＣＮＧ検知処理部３をコントローラ２の内部に配置しているが、データラインルートで有れば他の場所に配置してもよい。但し、このＣＮＧ検知処理部３は、ハードモデム９とは共有しない構成とする。
【００１７】
図２は、本実施形態に係る画像通信装置１０１のコントローラ２の構成を概略的に示すブロック図である。
【００１８】
同図において、ＣＰＵ２０１は、ＲＯＭ２０２に格納されたプログラムに従ってＣＰＵ２０１と接続された各部を制御するとともに、この画像通信装置１０１全体の制御を行う。またＣＰＵ２０１は、ＴＣＰ／ＩＰのプロトコル処理も行ない、画像データのＴＣＰ／ＩＰフレームへの組み立ては、このＣＰＵ２０１の制御により行われる。ＣＰＵ２０１は、また画像データの受信時に、符号化されている画像データを復号する。ＲＡＭ２０３は、ＣＰＵ２０１によるプログラム実行時のワークメモリとして使用されると共に、送受信する画像データのバッファリングにも使用される。Ｐ／Ｓ  Ｄｅｖｉｃｅ２０７は、ブリッジ回路５とのインターフェースであり、２チャンネルのシリアル通信を備えている。またＣＯＤＥＣ２１０は、音声信号、又はみなし音声として送受信されるファクシミリ信号のためのＶｏＩＰ方式の符号化／復号化方式をサポートする。更に、Ｔ．３８インターネットファクシミリ信号（特にトーン信号）を送受信するために必要な符号化／復号化方式を少なくともサポートするものとする。
【００１９】
操作部はキー操作部２１１と表示部２１２を含み、キー操作部２１１は、主にダイヤル番号で使用するテンキーと、スタート、ストップキー、ファクシミリ送受信の操作ボタンなど表示器等を有し、ユーザからの操作指示を受付ける。又、表示部２１２は、各種情報の表示やユーザからの指示入力を行うのに使用される。スキャナ制御部２０５はスキャナ２０４を制御し、スキャナ２０４で原稿を読み取って得られた画像データをバス２１８に出力する。圧縮処理部２０６は、例えば、原稿を読み取って得られた画像データを圧縮するのに使用される。プリンタ制御部２１５は、電子写真方式、インクジェット方式など記録方式で印刷を行うプリンタ部２１４を制御する。プリンタ制御部２１５は、受信した画像データや、他のインターフェースから入力した画像データを印刷用ラスタデータに変換してプリンタ部２１４に出力する。ＨＤＤ２１７はハードディスクドライブであり、受信した画像データ、送信する画像データや印刷データの格納など、様々なデータの格納に使用される。ネットワークＩ／Ｆ制御部（ＬＡＮＣ）２１６はＬＡＮコントローラで、ネットワーク回線１１０を通じてデータの送受信を行なう。ＣＰＵ２０１は、送信するデータをネットワークＩ／Ｆ制御部２１６のＬＡＮコントローラに転送する。ＬＡＮＣ２１６は、ＭＡＣ（Ｍｅｄｉａ  Ａｃｃｅｓｓ Ｃｏｎｔｒｏｌ）フレームヘッダとＦＣＳ（Ｆｒａｍｅ Ｃｈｅｃｋ Ｓｅｑｕｅｎｃｅ）などを送信データに付加してネットワーク回線１１０に送信する。
【００２０】
バス２１８は、ＣＰＵ２０１，ＲＯＭ２０２，ＲＡＭ２０３，スキャナ制御部２０５、圧縮処理部２０６、Ｐ／Ｓ Ｄｅｖｉｃｅ２０７，ＣＯＤＥＣ２１０、プリンタ制御部２１５、ＬＡＮＣ２１７等を接続している。そして、ＣＰＵ２０１からの制御信号や各制御部のデータ信号を伝送するシステムバスである。
【００２１】
図３は、本発明の実施形態に係る画像通信装置１０１による受信処理を説明するフローチャートである。このフローチャートで示される処理を実行するプログラムはＲＯＭ２０２に記憶されており、ＣＰＵ２０１が、このプログラムを実行することにより、このフローチャートで示す処理が実現される。
【００２２】
まずＳ３０１でＣＰＵ２０１は、回線１１０を介して着信があったかどうかを判定する。この着信の検知は、ＬＡＮＣ２１６で着信コマンドを検知することによりなされる。Ｓ３０１で着信があったと判定したときはＳ３０２に進み、ＣＰＵ２０１は、ＶＯＩＰの着信か否かを判定する、ここでＶＯＩＰの着信であればＧ３ＦＡＸ又は電話の着信であるため、ＦＡＸか電話かを判定するためにＳ３０３のＣＮＧ信号の検知処理へ進む。一方、Ｓ３０２でＶＯＩＰの着信でないと判定するとＳ３１１に進み、ＣＰＵ２０１の制御の下で、Ｔ．３８に準拠したＩＰＦＡＸ通信を行う。
【００２３】
Ｓ３０３でＣＰＵ２０１は、ＣＮＧ検知処理部３によりＣＮＧ信号の検知を行う。このＣＮＧ信号の検知は、従来は、Ｇ３ＦＡＸモデムで行っていたが、複数セッションの場合、例えば２セッション同時通信が可能であると、Ｇ３ＦＡＸ通信中であってもＶＯＩＰの着信が当然考えられる。このため、コントローラ２のＣＮＧ検知処理部３によりＣＮＧ信号の有無を判定している。Ｓ３０４でＣＰＵ２０１は、ＣＮＧ信号があると判定するとＳ３０５に進み、ＣＮＧ信号がないと判定するとＳ３０８に進む。
【００２４】
図４は、ＣＮＧ信号を説明する図である。
【００２５】
このＣＮＧ信号は、４００で示すように、１１００Ｈｚのトーン信号が０．５秒間続き、４０１で、３秒間の休止期間があり、次に４０２で示す、１１００Ｈｚのトーン信号が０．５秒間続く断続信号である。一般的にＣＮＧ信号の検知は、ＣＮＧ信号のトーン信号を複数回検知することによりＣＮＧ信号を検知したと判定している。
【００２６】
Ｓ３０４でＣＮＧ信号を検知したと判定した場合はＳ３０５に進み、ＣＰＵ２０１は、Ｇ３ＦＡＸによる通信中かどうかを判定する。Ｓ３０５でＧ３ＦＡＸによる通信中であると判定するとＳ３０６に処理を進め、ＣＰＵ２０１は、通信状況を判断する。ここでは例えば、Ｇ３ＦＡＸによる送信中であれば、送信対象の画像データの量から通信時間を割り出し、その通信時間が所定の時間内であるかどうかを判定し、所定の時間内であれば送信処理を継続させる等を判定して、回線の接続或いは遮断を制御する。
【００２７】
一方、Ｓ３０５でＧ３ＦＡＸによる通信中でないと判定するとＳ３０７に進み、ＣＰＵ２０１は、Ｇ３ＦＡＸでの受信のために、ハードモデム９を使用したＧ３ＦＡＸの受信処理に進む。このときハードモデム９が動作中でないときＧ３ＦＡＸでの受信が可能になる。尚、Ｓ３０４でＣＮＧ信号を検知した段階でハードモデム９が使用中であったとしても、ＣＮＧ信号の検知には約５秒以上の時間を要するので、このＣＮＧ検知処理が完了するまでにハードモデム９が解放される可能性もある。従って、Ｓ３０５でＧ３ＦＡＸによる通信中でないと判定するとＳ３０７のハードモデム９を使用したＧ３ＦＡＸの受信処理に進む。
【００２８】
一方、Ｓ３０４でＣＮＧ信号を検知しないときは電話の着信であるためＣＰＵ２０１はＳ３０８へ処理を進める。Ｓ３０８でＣＰＵ２０１は、ＳＬＩＣ８で呼出し信号を生成し電話機１２へ呼出信号を出力し、電話機１２の呼出し音を鳴動させる。そしてＳ３０９で電話機１２のユーザがオフフックしたかどうかを判定し、オフフックをＳＬＩＣ９で検知するとＳ３１０に進み、電話機１２とＳＬＩＣ８の間の回線を捕捉する。これにより、電話機１２による通話が可能となる。
【００２９】
このように本実施形態によれば、ハードモデム９が他のＦＡＸ送信で使用中であったとしても、着信したＣＮＧ信号の検知を、ハードモデム９とは別のＣＮＧ検知処理部３により行うことができる。このため、ＩＰ回線で着信がＶＯＩＰの場合、モデムをファクシミリ送信で使用中であっても、着信が電話か、Ｇ３ＦＡＸであるかを判定できる。これにより、例えば、ＶＯＩＰの着信を処理するために実行中の通信を切断したり、発呼側を待たせることを少なくできる。また電話の着信であれば、発呼側を待たせることなく接続できるという効果がある。
【００３０】
このようの本実施形態によれば、ＩＰＦＡＸ機能を有する画像通信装置で、例えば、第１セッションでハードモデムを使用中のとき第２セッションでＶＯＩＰの着信があった場合、そのハードモデムとは別のＣＮＧ検知処理部でＣＮＧ信号を検知する。これにより、第１セッションで通信中のハードモデムを使用しなくともＣＮＧ信号を検知できるため、効率良く、着信がＦＡＸか電話かを判定できる。そして電話の着信であれば直ちに通話できる。一方、ファクシミリ受信の場合にハードモデムが使用中であったとしても、ＣＮＧ信号を検知している間にハードモデムが解放されると、通信を切断せずに、そのファクシミリ信号を受信できるので相手を待たせずにＦＡＸ受信できるという利点がある。
【００３１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015002551.tif 000003
【図２】
2015002551.tif 000004
【図３】
2015002551.tif 000005
【図４】
2015002551.tif 000006